(57)【要約】      （修正有）【課題】安価で、ゴミ袋の着脱が容易なゴミ容器を提供する。【解決手段】帯状体の一端に取り付けられた取り付け具に同帯状体の他端に取り付けられた取り付け具を係合することによりゴミ容器本体４の上部に固定し得るようにされたベルト５と、このベルトに沿い、かつ同ベルトにゆるやかに係合されるとともにゴミ袋を挟み込み同ゴミ袋を前記ベルトとゴミ容器本体間に一時固定するように作用する複数の筒状の弾性体７とよりなるゴミ袋装着体を提供する。ゴミ袋をゴミ容器に装着するときには、ゴミ袋の端部をゴミ容器本体４と弾性体７の間に挟み込み、脱着するときはゴミ袋端部を引っ張ることで簡単にはずすことができる。【選択図】図１
0003142995.tif 000002
【実用新案登録請求の範囲】
【請求項１】
ゴミ容器本体の上部に固定し得るように伸縮可能とされた環状ベルトと、前記ベルトに沿い、かつ同ベルトにゆるやかに係合されるとともにゴミ袋を挟み込み同ゴミ袋を前記ベルトとゴミ容器本体間に一時固定するように作用する複数の筒状の弾性体とよりなるゴミ袋装着体。
【請求項２】
帯状体の一端に取り付けられた取り付け具に同帯状体の他端に取り付けられた取り付け具を係合することによりゴミ容器本体の上部に固定し得るようにされたベルトと、前記ベルトに沿い、かつ同ベルトにゆるやかに係合されるとともにゴミ袋を挟み込み同ゴミ袋を前記ベルトとゴミ容器本体間に一時固定するように作用する複数の筒状の弾性体とよりなるゴミ袋装着体。
【請求項３】
帯状体の一端に取り付けられた取り付け具に同帯状体の他端を挿入して締め付けることによりゴミ容器本体の上部に固定し得るようにされたベルトと、前記ベルトに沿い、かつ同ベルトにゆるやかに係合されるとともにゴミ袋を挟み込み同ゴミ袋を前記ベルトとゴミ容器本体間に一時固定するように作用する複数の筒状の弾性体とよりなるゴミ袋装着体。
【請求項４】
平面部と同平面部の一端側につながるように一体に形成された筒状部とを備えた弾性を有する帯状ベルトの一端に取り付けられた取り付け具に同帯状ベルトの他端に取り付けられた取り付け具を係合することによりゴミ容器本体の上部に同帯状ベルトを固定し、前記筒状部とゴミ容器本体間にゴミ袋を挟み込み同ゴミ袋を一時固定するようにしたことを特徴とするゴミ袋装着体。
【請求項５】
請求項１、２、３又は４に記載のゴミ袋装着体をゴミ容器本体に装着したゴミ容器。
【考案の詳細な説明】
【技術分野】
【０００１】
本考案は、ゴミ袋をゴミ容器に取り付けるときに使用するゴミ袋装着体及び同装着体を装着したゴミ容器に関する。
【背景技術】
【０００２】
従来より、上部開放で円筒状、又は角筒状等のゴミ容器の場合、いわゆるビニール製のゴミ袋を筒状体内に装入し、ゴミ容器の直接的な汚れの防止や、ゴミの廃棄の簡便化を図っている。
【０００３】
その際、ゴミ容器本体内にゴミ袋を装入し、ゴミ袋の口部の折返し部を掛け止めるための掛止部をゴミ容器本体に設け、この掛止部に係合可能で、当該掛止部との間で前記折返し部を挟持可能な止め具を用意しているものがある（例えば、特許文献１参照）。
【０００４】
また、リング状のゴミ袋装着体を弾性体で構成し、ゴミ容器の外周に折返されたゴミ袋の開口部上部側をゴミ容器の外周に強制的に係止するようにしたものも提案されている（例えば、特許文献２参照）。
【特許文献１】実開平６−８７３０２号公報
【特許文献２】特開２００５−１２６２３２号公報
【考案の開示】
【考案が解決しようとする課題】
【０００５】
前述の特許文献１に開示のゴミ容器では、ゴミ容器の開口部の大きさ、形状に応じた止め具を用意する必要がありコスト高となる。
【０００６】
また、特許文献２に開示のゴミ袋装着体は、ゴミ容器の上部外周に先ず、ゴミ袋端部を折曲しその折曲された部分をゴミ容器外周に強制的に係止すべく同装着体を弾性を利用して装着するもので、ゴミ袋の着脱の度にその作業を行わなければならず、手間がかかるという難点がある。
【課題を解決するための手段】
【０００７】
請求項１の考案は、ゴミ容器本体の上部に固定し得るように伸縮可能とされた環状ベルトと、前記ベルトに沿い、かつ同ベルトにゆるやかに係合されるとともにゴミ袋を挟み込み同ゴミ袋を前記ベルトとゴミ容器本体間に一時固定するように作用する複数の筒状の弾性体とよりなるゴミ袋装着体を提供する。
【０００８】
請求項２の考案は、帯状体の一端に取り付けられた取り付け具に同帯状体の他端に取り付けられた取り付け具を係合することによりゴミ容器本体の上部に固定し得るようにされたベルトと、前記ベルトに沿い、かつ同ベルトにゆるやかに係合されるとともにゴミ袋を挟み込み同ゴミ袋を前記ベルトとゴミ容器本体間に一時固定するように作用する複数の筒状の弾性体とよりなるゴミ袋装着体を提供する。
【０００９】
請求項３の考案は、帯状体の一端に取り付けられた取り付け具に同帯状体の他端を挿入して締め付けることによりゴミ容器本体の上部に固定し得るようにされたベルトと、前記ベルトに沿い、かつ同ベルトにゆるやかに係合されるとともにゴミ袋を挟み込み同ゴミ袋を前記ベルトとゴミ容器本体間に一時固定するように作用する複数の筒状の弾性体とよりなるゴミ袋装着体を提供する。
【００１０】
請求項４の考案は、平面部と同平面部の一端側につながるように一体に形成された筒状部とを備えた弾性を有する帯状ベルトの一端に取り付けられた取り付け具に同帯状ベルトの他端に取り付けられた取り付け具を係合することによりゴミ容器本体の上部に同帯状ベルトを固定し、前記筒状部とゴミ容器本体間にゴミ袋を挟み込み同ゴミ袋を一時固定するようにすることを特徴とするゴミ袋装着体を提供する。
【００１１】
請求項５の考案は、請求項１〜４のいずれかに記載のゴミ袋装着体をゴミ容器本体に装着したゴミ容器を提供する。
【考案の効果】
【００１２】
本考案は、上述のような構成よりなるゴミ袋装着体及び同装着体を装着したゴミ容器であり以下のような効果を奏する。
１．ゴミ袋の固定取り外し、つまり着脱を素早く容易にできる。
２．ゴミ袋を取り換える際、手が汚れにくい。
３．ゴミ袋のサイズによって、本考案ゴミ袋装着体も大、中、小３サイズ位を用意すれば、ゴミ容器の少々の大きさ又は形状の差異があっても取り付けが可能である。
４．本考案ゴミ袋装着体は、ゴミ容器と一体ではないので、現在使用しているゴミ容器にも使用できるし、ゴミ容器メーカーの違いによっても使用できないということはない。
【考案を実施するための最良の形態】
【００１３】
以下、本考案の実施例のいくつかにつき、図面を参照しつつ説明する。
【００１４】
図１は、本考案の一実施例におけるゴミ袋装着体をゴミ容器に装着する前の状態（２点仮想線）と装着後の状態を示す斜視図である。
【００１５】
図１において、帯状体１の一端に取り付けられた取り付け具２に同帯状体１の他端に取り付けられた取り付け具３を係合してゴミ容器本体４の上部に固定したベルト５が示されている。ベルト５には同ベルト５の長さ方向に沿って設けられた複数（図１では４箇所）のスリット６にゆるやかに係合された複数（図１では４個）の筒状の弾性体７がある。
【００１６】
図２は、図１に対応する要部の断面図であり、前記の図番の部材は前述のとおりであり説明は省略する。図２において、弾性体７は、ベルト５とはゆるやかながら一体的となっているので、弾性を有するため、ゴミ容器本体４に接するところはやや扁平に変形している。
【００１７】
さて、ゴミ袋８をゴミ容器本体４に装入し、ゴミ袋８の開放端部９をゴミ容器本体４の上部で折り返す際、本考案では同端部９をゴミ容器本体４の外周面と弾性体７の間に挟み込むことが特徴で、挟み込みは、さほど力を要することなく簡便に行うことができ、尚、弾性体７の適度の弾力のためゴミ袋８を一時固定する作用をする。ゴミ廃棄のときにはゴミ袋の端部９、特に９ａの部分を引っ張ることにより簡便にはずれ、すばやくゴミ袋を収集することができる。
【００１８】
図３は、前述の説明のベルト５の取り付け具の一例を示すもので、一方が棒状の金具１０、他方が同金具１０を受け入れる筒状の金具１１を示すものであるが、ベルト５の取り付け具はこの例に限られるものではない。
【００１９】
例えば、図１２のように、帯状体１の一端に取り付けられた取り付け具を図示のような２個の金具１７，１８とし、帯状体１の他端を挿入して締め付けることによりゴミ容器本体の上部に固定し得るようにしてもよい。
【００２０】
図４、図５は、前述の実施例である筒状の弾性体７を４個備えたゴミ袋装着体を示す図であり、前記と同じ部材には同じ番号を付している。尚、弾性体７をベルト５に係合する方法としては平板状の弾性体を用意し、スリット６にそれぞれ挿入し、その後弾性体の端部を熱溶着することにより簡単に筒状の弾性体となし得る。
【００２１】
図６、図７は、筒状の弾性体７が２個の例を示す図であり、前記と同じ部材には同じ番号を付している。
【００２２】
図８は、弾性体７をベルト５に係合する方法として前記と別の方法を採用するもので、予め、筒状の弾性体７に短冊状ベルト１２を通しておき、予め設けられたベルト５の切欠部１３に筒状の弾性体７を備えた短冊状ベルト１２を例えばリベット１４で取りつけるものである。
【００２３】
図９は、他の実施例を示すもので、十分に伸縮可能とされた環状ベルト１５を使用するもので、同ベルト１５への筒状の弾性体への係合は前述のような方法で実施することができるので詳細な説明は省略する。尚、環状ベルト１５の大きさは例えばゴミ容器の外周を考慮し、大、中、小などのサイズを用意しておけば良く、このことは先の実施例の場合でも同様である。
【００２４】
図１０、図１１は、さらに他の実施例を示す図であり、前述の実施例と異なるところは、ゴミ袋装着体を一体として構成したものである。図１０、図１１において、弾性を有する帯状ベルト２０には平面部２１と同平面部の一端側につながるように一体に形成された筒状部２２があり、同帯状ベルト２０の一端に取り付けられた取り付け具２３に同ベルト２０の他端に取り付けられた取り付け具２４を係合することによりゴミ容器本体の一部に固定しうるようにしている。
【００２５】
この場合、筒状部２２が、前述の実施例の筒状の弾性体７と同じような作用を奏することになり、ゴミ袋をゴミ容器本体に装入し、ゴミ袋の開放端部をゴミ容器本体の上部で折り返す際、同端部をゴミ容器本体の外周面と筒状部２２の間に挟み込むことは筒状部２２が弾性を有するが故に簡便に行うことができ、かつ、筒状部２２の適度の弾力のためゴミ袋を一時固定することができる。ゴミ廃棄の際ゴミ袋を取り出すときも、いわゆるワンタッチで実施できることはいうまでもない。
【図面の簡単な説明】
【００２６】
【図１】本考案の一実施例におけるゴミ袋装着体及び同装着体を装着したゴミ容器の斜視図。
【図２】同上実施例の要部断面図。
【図３】同上実施例におけるベルトの取り付け具の一例を示す斜視図。
【図４】同上実施例におけるゴミ袋装着体の斜視図。
【図５】同上実施例におけるゴミ袋装着体を平面に展開した要部正面図。
【図６】本考案の他の実施例におけるゴミ袋装着体の斜視図。
【図７】同上実施例におけるゴミ袋装着体を平面に展開した要部正面図。
【図８】同上実施例におけるゴミ袋装着体の変形例を平面に展開した要部正面図。
【図９】本考案の更に他の実施例におけるゴミ袋装着体の斜視図。
【図１０】本考案の更に他の実施例におけるゴミ袋装着体の斜視図。
【図１１】同上実施例の一部Ａ−Ａ断面斜視図。
【図１２】本考案の実施例におけるベルトの取り付け具の他の例を示す要部斜視図。
【符号の説明】
【００２７】
１  帯状体
２  取り付け具
３  取り付け具
４  ゴミ容器本体
５  ベルト
６  スリット
７  弾性体
８  ゴミ袋
９  開放端部
１０  金具
１１  受け入れる筒状の金具
１５  環状ベルト
２０  帯状ベルト
２１  平面部
２２  筒状部
【図１】
0003142995.tif 000003
【図２】
0003142995.tif 000004
【図３】
0003142995.tif 000005
【図４】
0003142995.tif 000006
【図５】
0003142995.tif 000007
【図６】
0003142995.tif 000008
【図７】
0003142995.tif 000009
【図８】
0003142995.tif 000010
【図９】
0003142995.tif 000011
【図１０】
0003142995.tif 000012
【図１１】
0003142995.tif 000013
【図１２】
0003142995.tif 000014